【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
レンズ鏡筒と、前記レンズ鏡筒の外側に同心円状に配置され回動操作が可能な操作リングと、前記レンズ鏡筒の内側に同心円状に配置され前記操作リングと一体となって回動するカム筒と、を有するレンズ装置であって、
前記操作リングまたは前記カム筒の回転速度と該回転速度に対応する操作トルク目標値との関係があらかじめ記憶された記憶手段と、
ユーザによる前記操作リングまたは前記カム筒の操作速度を検出する検出手段と、
前記検出した操作速度に基づいて前記記憶手段から操作トルク目標値を読みだして、操作トルク目標値を設定する制御目標設定手段と、
前記操作リングまたは前記カム筒の操作トルクが前記設定された操作トルク目標値となるように、前記操作リングまたは前記カム筒に加えられる補助トルクの大きさを変化させるトルク制御手段と、
を備えるレンズ装置。
【請求項２】
前記記憶手段には、前記操作リングまたは前記カム筒の操作速度及び操作方向と操作トルク目標値との関係があらかじめ記憶されており、
前記検出手段はユーザによる前記操作リングまたは前記カム筒の操作速度及び操作方向を検出し、
前記制御目標設定手段は、前記検出した操作速度及び操作方向に基づいて前記記憶手段から操作トルク目標値を読みだして操作トルク目標値を設定し、
前記トルク制御手段は、前記操作リングまたは前記カム筒の操作トルクが前記設定された操作トルク目標値となるように、前記操作リングまたは前記カム筒に加えられる補助トルクの大きさ及び方向を変化させる、
請求項１に記載のレンズ装置。
【請求項３】
前記記憶手段には前記操作リングまたは前記カム筒の操作速度及び操作方向と操作トルク目標値との関係が複数記憶されており、
当該複数記憶された関係のうち操作トルク目標値の設定に用いられる関係を選択する選択手段をさらに有する、
請求項２に記載のレンズ装置。
【請求項４】
前記トルク制御手段は、前記操作リングまたは前記カム筒に押し付けられる抑制用部材を備え、前記抑制用部材の押し付けによる摩擦力を増大または減少させることで前記補助トルクの方向及び大きさを変化させる、請求項２または３に記載のレンズ装置。
【請求項５】
前記抑制用部材の摩耗性は、前記操作リングまたは前記カム筒の前記抑制用部材が押し付けられる部分の摩耗性よりも高い、請求項４に記載のレンズ装置。
【請求項６】
前記トルク制御手段は、前記操作リングまたは前記カム筒と前記レンズ鏡筒との一方において周方向に配設された磁石と、他方に配設され前記レンズ装置の軸方向に電流が流れるコイルと、を有し、前記コイルに流す電流の方向及び大きさを調整することで、前記磁石と前記コイルとの間に生じる誘導起電力の方向及び大きさを制御し、これにより前記補助トルクの方向及び大きさを変化させる、請求項２に記載のレンズ装置。
【請求項７】
前記トルク制御手段はモータと、前記モータの回転軸に取り付けられ前記モータが発生するトルクを前記操作リングまたは前記カム筒に伝達する円筒状または円盤状の回転部材と、を備え、
前記回転部材と前記操作リングまたは前記カム筒とは面接触し、
前記トルク制御手段は、前記モータの回転速度及び方向を変化させることで前記補助トルクの方向及び大きさを変化させる、請求項２に記載のレンズ装置。
【請求項８】
前記トルク制御手段は、
前記検出された回転速度が第１のしきい値以上であるときは、前記操作リングまたは前記カム筒の回転を補助するように前記補助トルクの方向及び大きさを変化させ、
前記検出された回転速度が前記第１のしきい値より小さい第２のしきい値以下であるときは、前記操作リングまたは前記カム筒の回転を抑制するように前記補助トルクの方向及び大きさを変化させる、
請求項６または７に記載のレンズ装置。
【手続補正２】
【補正対象書類名】明細書
【補正対象項目名】０００８
【補正方法】変更
【補正の内容】
【０００８】
上記目的を達成するために、本発明の第１の態様に係るレンズ装置は、レンズ鏡筒と、レンズ鏡筒の外側に同心円状に配置され回動操作が可能な操作リングと、レンズ鏡筒の内側に同心円状に配置され操作リングと一体となって回動するカム筒と、を有するレンズ装置であって、操作リングまたはカム筒の回転速度と該回転速度に対応する操作トルク目標値との関係があらかじめ記憶された記憶手段と、ユーザによる操作リングまたはカム筒の操作速度を検出する検出手段と、検出した操作速度に基づいて記憶手段から操作トルク目標値を読み出して、操作トルク目標値を設定する制御目標設定手段と、操作リングまたはカム筒の操作トルクが設定された操作トルク目標値となるように、操作リングまたはカム筒に加えられる補助トルクの大きさを変化させるトルク制御手段と、を備える。第１の態様に係るレンズ装置によれば、ユーザによる操作リングまたはカム筒の操作速度に応じて操作トルクの目標値が設定され、操作リングまたはカム筒に加えられる補助トルクの大きさが、その目標値が実現されるように制御されるので、ユーザは自分の好みに合わせた、あるいは撮影の状況に応じた操作トルクでレンズ装置を操作することができる。
【手続補正３】
【補正対象書類名】明細書
【補正対象項目名】００１０
【補正方法】変更
【補正の内容】
【００１０】
本発明の第２の態様に示すように、第１の態様に係るレンズ装置において、記憶手段には、操作リングまたはカム筒の操作速度及び操作方向と操作トルク目標値との関係があらかじめ記憶されており、検出手段はユーザによる操作リングまたはカム筒の操作速度及び操作方向を検出し、制御目標設定手段は、検出した操作速度及び操作方向に基づいて記憶手段から操作トルク目標値を読み出して操作トルク目標値を設定し、トルク制御手段は、操作リングまたはカム筒の操作トルクが設定された操作トルク目標値となるように、操作リングまたはカム筒に加えられる補助トルクの大きさ及び方向を変化させるようにしてもよい。第２の態様に係るレンズ装置では、ユーザによる操作リングまたはカム筒の操作速度に加えてさらに操作方向を考慮して制御が行われるので、ユーザはより自分の好みに合わせた、あるいはより撮影の状況に応じた操作トルクでレンズ装置を操作することができる。
【手続補正４】
【補正対象書類名】明細書
【補正対象項目名】００１１
【補正方法】変更
【補正の内容】
【００１１】
本発明の第３の態様に示すように、第２の態様に係るレンズ装置において、記憶手段には操作リングまたはカム筒の操作速度及び操作方向と操作トルク目標値との関係が複数記憶されており、当該複数記憶された関係のうち操作トルク目標値の設定に用いられる関係を選択する選択手段をさらに有するようにしてもよい。これによりユーザは、操作トルク目標値の設定に用いられる関係を任意に変更することでより適切な操作トルクを得ることができ、また複数のユーザに対応させることも可能である。
【手続補正５】
【補正対象書類名】明細書
【補正対象項目名】００１２
【補正方法】変更
【補正の内容】
【００１２】
本発明の第４の態様に示すように、第２または第３の態様に係るレンズ装置において、トルク制御手段は、操作リングまたはカム筒に押し付けられる抑制用部材を備え、抑制用部材の押し付けによる摩擦力を増大または減少させることで補助トルクの方向及び大きさを変化させるようにしてもよい。第４の態様は、トルク制御の具体的な内容の一例を示すものである。
【手続補正６】
【補正対象書類名】明細書
【補正対象項目名】００１３
【補正方法】変更
【補正の内容】
【００１３】
本発明の第５の態様に示すように、第４の態様に係るレンズ装置において、抑制用部材の摩耗性は、操作リングまたはカム筒の抑制用部材が押し付けられる部分の摩耗性よりも高くしてもよい。第５の態様では、部材のメンテナンスや交換の手間やコストの観点から、抑制用部材の摩耗性を抑制部材が押し付けられる部分の摩耗性よりも高くしたものである。
【手続補正７】
【補正対象書類名】明細書
【補正対象項目名】００１４
【補正方法】変更
【補正の内容】
【００１４】
本発明の第６の態様に示すように、第２の態様に係るレンズ装置において、トルク制御手段は、操作リングまたはカム筒とレンズ鏡筒との一方において周方向に配設された磁石と、他方に配設されレンズ装置の軸方向に電流が流れるコイルと、を有し、コイルに流す電流の方向及び大きさを調整することで、磁石とコイルとの間に生じる誘導起電力の方向及び大きさを制御し、これにより補助トルクの方向及び大きさを変化させるようにしてもよい。第６の態様は、トルク制御の具体的な内容の他の例を示すものであり、このような態様によっても本発明の目的を達することができる。
【手続補正８】
【補正対象書類名】明細書
【補正対象項目名】００１５
【補正方法】変更
【補正の内容】
【００１５】
本発明の第７の態様に示すように、第２の態様に係るレンズ装置において、トルク制御手段はモータと、モータの回転軸に取り付けられモータが発生するトルクを操作リングまたはカム筒に伝達する円筒状または円盤状の回転部材と、を備え、回転部材と操作リングまたはカム筒とは面接触し、トルク制御手段は、モータの回転速度及び方向を変化させることで補助トルクの方向及び大きさを変化させるようにしてもよい。第７の態様はトルク制御の具体的な内容のさらに他の例を示すもので、このような態様によっても本発明の目的を達することができる。
【手続補正９】
【補正対象書類名】明細書
【補正対象項目名】００１６
【補正方法】変更
【補正の内容】
【００１６】
本発明の第８の態様に示すように、第６または第７の態様に係るレンズ装置において、トルク制御手段は、検出された回転速度が第１のしきい値以上であるときは、操作リングまたはカム筒の回転を補助するように補助トルクの方向及び大きさを変化させ、検出された回転速度が前記第１のしきい値より小さい第２のしきい値以下であるときは、操作リングまたはカム筒の回転を抑制するように補助トルクの方向及び大きさを変化させるようにしてもよい。これにより、フォーカスレンズやズームレンズ、アイリスを素早く移動・操作したい場合は操作リングを素早く回転することで操作トルクを小さくし、一方、ゆっくり移動・操作したい場合は操作リングをゆっくり回転させることで操作トルクを大きくすることができ、ユーザの好みや撮影の状況に応じた操作トルクでレンズ装置を操作することができる。